(57)【特許請求の範囲】
【請求項１】
地震、火災及び水害発生時等において、とくに屋内の避難場所に仮設される仮設ルームであって、強化段ボール製で適宜窓部や出入り口部を有する複数の壁パネルを折り畳み可能に連結して構成したところの折り畳み時に平面矩形状を呈する壁ユニットと、周囲に周壁部を有し前記壁パネルが折り畳まれた状態の壁ユニットを収容するところの平面矩形状を呈した強化ダンボール製の下部ケース体と、周囲に周壁部を有し前記下部ケース体を内側に収容させてその上に被せられるところの同じく強化ダンボール製で平面矩形状を呈した上部ケース体とを含み、前記下部ケース体内に前記壁ユニット及びその付属品等を収容してその上から上部ケース体を被せることで運搬や保管を行うことができるように構成すると共に、組立時には前記上部ケース体を下部ケース体から取り外して前記下部ケース体から前記壁ユニットを取り出して前記下部ケ−ス体を床パネルに、前記上部ケース体を屋根パネルに用い、前記壁ユニットを水平方向へ展開させてその下端部側を前記床パネルの前記周壁部の内側へ固定具を用いて固定し、前記屋根パネルを展開した壁ユニットの上部に被せ当該屋根パネルの前記周壁部内側と前記壁ユニットの前記壁パネルの上端部外側との間に前記壁パネルの連結部に当てがう固定部材を設けて前記屋根パネルと前記壁パネルとの間のクリアランスを埋め、前記屋根パネルの前記周壁部と前記壁パネルの上端部側を固定具を用いて固定させ、さらに前記壁パネルの対向する２つの壁パネル間の上方に連結棒を架け渡すことによって組み立てることを特徴とする、仮設ルーム。
【請求項２】
前記壁ユニットのうち対向する一方の２つの壁に相当する壁パネルをそれぞれ１枚の平板状の第１壁パネルで形成し、対向する残りの２つの壁に相当する壁パネルをそれぞれ複数の第２壁パネルで形成し、これら第１壁パネル及び第２壁パネルは、前記折り畳み状態のとき、前記２つの第１壁パネル間に前記第２壁パネルが互い違いに折り畳まれていることを特徴とする、請求項１に記載の仮設ルーム。
【請求項３】
前記壁ユニットが、前記展開状態の壁ユニット内に着脱可能に取り付けられる仕切りパネルを有し、この仕切りパネルを前記展開状態の壁ユニット内に取り付けて、この壁ユニット内を複数に仕切るようにしたことを特徴とする、請求項１乃至２のいずれか１項に記載の仮設ルーム。
【請求項４】
前記展開状態の壁ユニットの対向する２つの壁パネルの内面に
前記仕切りパネルを取り付けるための取付部がそれぞれ設けられ、これら取付部に前記仕切りパネルを取り付けることで前記展開状態の壁ユニット内が２つに仕切られるようにしたことを特徴とする、請求項３に記載の仮設ルーム。
【請求項５】
仮設ルーム内は、その外側より被せられ、雨水の浸入防止及び／又は防寒を図る防水シートをさらに備えたことを特徴とする、請求項１乃至４のいずれか１項に記載の仮設ルーム。
【発明の詳細な説明】
【技術分野】
【０００１】
本発明は、さまざまな災害発生時において臨時に設けられる体育館やホールなどの避難場所等に設置して好適な仮設ルームに関するものである。
【背景技術】
【０００２】
地震、火災、水害などの災害発生時において、国や地方公共団体は、住居を失った被災者などを一時的に収容する場所として広いスペースを有する公営の学校の体育館や公民館のホール等のような公共施設を避難場所として提供する。体育館やホール等が避難場所とされた場合には、広いスペースに家族毎に適当な小スペースが提供されるだけで、隣同士を仕切る間仕切りなどはなく、被災者はその小スペース内で、食事をしたり、床に布団を敷いて睡眠をとったりしている。このように、避難場所における被災者の共同避難生活は、ひとつの広いスペース内で寝食を共にするために、昼夜を問わず他人の視線にさらされることとなり、個人や家族のプライバシーが保たれ難く、精神的な疲労が徐々に蓄積するものと考えられる。その結果、体育館やホール等での共同避難生活が長期間となればなるほど辛く、精神的な疲労も大きくなる。このため、個人又は家族が寝食するスペースを間仕切る間仕切りセットが提案されている（特許文献１参照。）。
【先行技術文献】
【特許文献】
【０００３】
【特許文献１】特開平９−２２８６６７号公報
【発明の概要】
【発明が解決しようとする課題】
【０００４】
この特許文献１に記載されたものは、体育館等での共同避難生活において、発泡パネル等の衝立を立てて、ある個人又は家族が寝食するスペースと他の個人又は家族が寝食するスペースとを区別することができるものであった。しかし、発泡パネル等の衝立を立てる場合、衝立の高さが高いとそれだけ衝立を支持する支持構造が大掛かりなものとなってそのためのスペースを必要とするので、必然的に衝立の高さが低くなってしまうことから、ある個人又は家族が寝食するスペースを他の個人又は家族が寝食するスペースとから区別することはできるが、立っている者等からの視界を遮ることはできないという問題があった。また、衝立の高さを高くできたとしても、上方が開放されていると、何かと落ち着かずにストレスが溜まるという問題もあった。
本発明は、前記課題を解決するためになされたものであって、その目的は、体育館やホール等の広いスペースでの共同避難生活で被災者のプライバシーを守ると共に、共同生活に伴うストレスを軽減することができる軽くて組み立て容易で安価な仮設ルームを提供することにある。
【課題を解決するための手段】
【０００５】
前記の目的を達成するための本発明に係る仮設ルームは、地震、火災及び水害発生時等において、とくに屋内の避難場所に仮設される仮設ルームであって、強化段ボール製で適宜窓部や出入り口部を有する複数の壁パネルを折り畳み可能に連結して構成したところの折り畳み時に平面矩形状を呈する壁ユニットと、周囲に周壁部を有し前記壁パネルが折り畳まれた状態の壁ユニットを収容するところの平面矩形状を呈した強化ダンボール製の下部ケース体と、周囲に周壁部を有し前記下部ケース体を内側に収容させてその上に被せられるところの同じく強化ダンボール製で平面矩形状を呈した上部ケース体とを含み、前記下部ケース体内に前記壁ユニット及びその付属品等を収容してその上から上部ケース体を被せることで運搬や保管を行うことができるように構成すると共に、組立時には前記上部ケース体を下部ケース体から取り外して前記下部ケース体から前記壁ユニットを取り出して前記下部ケ−ス体を床パネルに、前記上部ケース体を屋根パネルに用い、前記壁ユニットを水平方向へ展開させてその下端部側を前記床パネルの前記周壁部の内側へ固定具を用いて固定し、前記屋根パネルを展開した壁ユニットの上部に被せ当該屋根パネルの前記周壁部内側と前記壁ユニットの前記壁パネルの上端部外側との間に前記壁パネルの連結部に当てがう固定部材を設けて前記屋根パネルと前記壁パネルとの間のクリアランスを埋め、前記屋根パネルの前記周壁部と前記壁パネルの上端部側を固定具を用いて固定させ、さらに前記壁パネルの対向する２つの壁パネル間の上方に連結棒を架け渡すことによって組み立てることを特徴とする。
【０００６】
本発明によれば、壁ユニットは、連結状態又は展開状態において複数の壁パネルを平面多角形状に連結又は展開したものであるために倒れ難く、かつ床パネルと屋根パネルに固定されることから、人が中に入って寝起きし得るのに十分な高さに壁ユニットを形成できる。その結果、他人の視界を遮る空間を形成できるので、体育館やホール等の広いスペースでの共同避難生活で被災者のプライバシーを守ると共に、共同生活に伴うストレスを軽減することが可能となる。
【０００７】
本発明に係る仮設ルームにおいて、前記壁ユニットのうち対向する一方の２つの壁に相当する壁パネルをそれぞれ１枚の平板状の第１壁パネルで形成し、対向する残りの２つの壁に相当する壁パネルをそれぞれ複数の第２壁パネルで形成し、これら第１壁パネル及び第２壁パネルは、前記折り畳み状態のとき、２つの第１壁パネル間に第２壁パネルが互い違いに折り畳まれていることが好ましい。
【０００８】
また、本発明に係る仮設ルームにおいて、前記壁ユニットが、前記展開状態の壁ユニット内に着脱可能に取り付けられる仕切りパネルを有し、この仕切りパネルを前記展開状態の壁ユニット内に取り付けて、この壁ユニット内を複数に仕切るようにすることが好ましい。
【０００９】
また、本発明に係る仮設ルームにおいて、前記展開状態の壁ユニットの対向する２つの壁パネルの内面に、前記仕切りパネルを取り付けるための取付部がそれぞれ設けられ、これら取付部に前記仕切りパネルを取り付けることで前記展開状態の壁ユニット内が２つに仕切られるようにすることが好ましい。
【００１０】
また、本発明に係る仮設ルームにおいて、外側より被せられ、雨水の浸入防止及び／又は防寒を図る防水シートをさらに備えることが好ましい。
【発明の効果】
【００１１】
以上説明したように本発明に係る仮設ルームによれば、壁ユニットを下部ケース体を構成する床パネルと上部ケース体を構成する屋根パネルから成るケースに入れて運搬でき、かつ組立時にはケースから壁ユニットを取り出して水平方向へ展開連結させてその下端部を床パネルの周壁部に取り付け、壁ユニットの上部に屋根パネルを被せてその上端部を周壁部に取り付けることによって仮設ルームを手軽に組み立てることができ、使用し終わったら壁ユニットを取り外して床パネル内へ収納させ、その上から屋根パネルを被せることによってケースに入れて保管することができるものである。さらに、壁ユニットの連結状態又は展開状態において複数の壁パネルを平面多角形状に連結又は展開したものであるために倒れ難く、かつ床パネルと屋根パネルに壁ユニットが固定されることから、人が中に入って寝起きし得るのに十分な高さに壁ユニットを形成できるので、他人の視界を遮る空間を形成でき、体育館やホール等の広いスペースでの共同避難生活で被災者のプライバシーを守ると共に、共同生活に伴うストレスを軽減することができる。
【図面の簡単な説明】
【００１２】
【図１】本発明に係る第１の仮設ルームの一例を示す斜視図である。
【図２】本発明に係る第１の仮設ルームの一例を示す側面図である。
【図３】本発明に係る第１の仮設ルームの一例を示す正面図である。
【図４】本発明に係る第１の仮設ルームの一例を示す斜視図である。
【図５】本発明に係る第１の仮設ルームの内部の状態を示す図である。
【図６】本発明に係る第１の仮設ルームの内部の状態を示す図である。
【図７】本発明に係る第１の仮設ルームの使用状態を示すプレートを示す図である。
【図８】本発明に係る第１の仮設ルームの他の例を示す斜視図である。
【図９】本発明に係る第２の仮設ルームの一例を示す斜視図である。
【図１０】本発明に係る第２の仮設ルームの一例を示す側面図である。
【図１１】本発明に係る第２の仮設ルームの一例を示す断面図である。
【図１２】本発明に係る第２の仮設ルームの一例を示す斜視図である。
【図１３】本発明に係る第２の仮設ルームの一例を示す斜視図である。
【図１４ａ】本発明に係る第２の仮設ルームを組み立てる一例を示す斜視図である。
【図１４ｂ】本発明に係る第２の仮設ルームを組み立てる一例を示す斜視図である。
【図１５】本発明に係る壁ユニットの他の例を示す図で、（ａ）は平面図、（ｂ）は側面図、（ｃ）は壁パネルを直線状にした状態を示す平面図、（ｄ）は壁パネルを直線状にした状態を示す側面図、（ｅ）は正面図である。
【図１６】本発明に係る壁ユニットの他の例を示す図で、（ａ）は平面図、（ｂ）は側面図、（ｃ）は壁パネルを直線状にした状態を示す平面図、（ｄ）は壁パネルを直線状にした状態を示す側面図、（ｅ）は正面図である。
【図１７】本発明に係る仮設ルームを複数組み合わせて設置した一例を示す概略平面図である。
【発明を実施するための形態】
【００１３】
以下、本発明に係る仮設ルームを添付図面に基づいて詳述する。
【００１４】
図１〜図６は、本発明に係る第１の仮設ルームの一例を示す図である。本発明に係る第１の仮設ルームは、図１〜図６に示すように、複数の壁パネル３、及びこれら複数の壁パネル３を適宜連結して平面多角形状の連結状態を形成する連結部材９を含む壁ユニット２と、壁パネル３に適宜設けられた出入口部１５及び／又は窓部１６と、所望の箇所に敷設されてこの上に連結状態の壁ユニット２が載置されて着脱可能に固定される床パネル７と、連結状態の壁ユニット２の上部に着脱可能に固定される屋根パネル８とを備えたことに特徴がある。なお、図５及び図６は仮設ルーム１の内部の状態が分かりやすいように示した図である。
【００１５】
壁ユニット２は、連結部材９を用いて複数の壁パネル３を平面多角形状例えば矩形状に連結して連結状態を形成するものである。複数の壁パネル３は、矩形状の壁、すなわち、前面壁、後面壁、両側面壁を形成するものである。これら壁パネル３は、前面壁及び後面壁に相当する壁パネル（第１壁パネル４ということがある。）と、両側面壁に相当する壁パネル（第２壁パネル５ということがある。）とからなる。
【００１６】
第１壁パネル４は、矩形平板状に形成されていることが好ましい。例えば、第１壁パネル４の大きさは、１枚で丁度ケース６内に収納し得る大きさで形成されていることが好ましい。第１壁パネル４は、具体的には、２１０ｃｍ×１１０ｃｍの矩形状で形成される。
第２壁パネル５は、複数のパネルからなることが好ましい。第２壁パネル５は、第１壁パネル４と略同じ矩形平板状に形成されている。この第２壁パネル５は、２枚で側面壁に相当する壁パネル３となるように構成されている。第２壁パネル５は、具体的には、２１０ｃｍ×１１０ｃｍの矩形状で形成される。
【００１７】
これら第１壁パネル４及び第２壁パネル５は、強化ダンボール等で形成されていることが好ましい。強化ダンボールは、通常のダンボールに耐水・防水・強化・剛性等が付与されたものであれば特に限定されない。また、第１壁パネル４及び第２壁パネル５としては、ダンボール以外の例えば軽くて丈夫な合成樹脂、木製のもの等を用いてもよい。
【００１８】
また、第１壁パネル４及び第２壁パネル５の両方又は一方、図示例では両方の外側となる表面の上方には、プレート挿入部７１を設けてもよい。このプレート挿入部７１は、プレートをスライドさせて着脱可能に取り付けるものであり、例えば、番号が付されたプレート７２を取り付けたり、プレート挿入部７１内に２つの状態を示すプレート７３（図７参照。）等を取り付けると共にさらにこのプレート７３上に２つの状態のどちらか一方をスライドさせて表示させるスライドプレート７４を取り付けたりすることがこのましい。これにより、自分の仮設ルーム１がどれであるかすぐに判別することができると共に、仮設ルーム１の使用状態がすぐに分かる。例えば、避難場所の体育館等の広いスペースに本発明に係る仮設ルーム１を多数設置すると自分の仮設ルーム１がどれだかわからなくなるが、番号が付されたプレート７２を取り付けることにより自分の仮設ルーム１がどれであるかすぐに判別することができることになる。また、番号が付されたプレート７２を取り付けることにより、誰がどこの仮設ルーム１にいるかが一目でわかる。
【００１９】
これら１枚の第１壁パネル４と２枚の第２壁パネル５と１枚の第１壁パネル４と２枚の第２壁パネル５とが、長辺部において順次連結部材９によって互い連続的に連結されて矩形状の連結状態の壁ユニット２が構成される。連結部材９は、第１壁パネル４と第２壁パネル５とを着脱可能に連結する略Ｌ字状の第１連結部材９１と、２枚の第２壁パネル５を着脱可能に連結する第２連結部材９２とからなる。
【００２０】
第１連結部材９１は、第１壁パネル４と第２壁パネル５とを略直角に連結するものであれば特に限定されず、略Ｌ字状の部材であってもよいが、例えば、第１壁パネル４と第２壁パネル５とを挟持により取り付ける略コ字状の２つの支持部９１ａが蝶番９１ｂによって連結され、これら支持部９１ａが略Ｌ字状の支持板９１ｃに固定されているもの等が好ましい。これら支持部９１ａに第１壁パネル４と第２壁パネル５とをそれぞれ取り付けることにより、第１壁パネル４と２枚の第２壁パネル５とが互いに略直角に連結されるようになっている。
【００２１】
第２連結部材９２は、２枚の第２壁パネル５を略直線状に連結するものであれば得に限定されず、略Ｈ字状の部材であってもよいが、例えば、２枚の第２壁パネル５を挟持により取り付ける略コ字状の２つの支持部９２ａが蝶番９２ｂによって連結され、これら支持部９２ａが細長の平板状の支持板９２ｃに固定されているもの等が好ましい。これら支持部９２ａに２枚の第２壁パネル５とをそれぞれ取り付けることにより、２枚の第２壁パネル５が略直線状に連結されるようになっている。４個の第１連結部材９１と２個の第２連結部材９２とによって２枚の第１壁パネル４と４枚の第２壁パネル５とが略矩形状に連結された連結状態の壁ユニット２が構成されるように構成されている。この壁ユニット２は、例えば、連結状態において、２２０ｃｍ（長さ）×１１０ｃｍ（幅）×２１０ｃｍ（高さ）となるように形成されている。
【００２２】
第１壁パネル４及び第２壁パネル５には、出入口部１５や窓部１６が設けられている。出入口部１５は、連結状態の壁ユニット２（仮設ルーム１）に出入りを行うためのものであり、その形状、大きさ及び配置箇所は特に限定されず、例えば、各側面壁に相当する２枚の第２壁パネル５のうちの１枚の第２壁パネル５や第１壁パネル４に設けられている。これら第２壁パネル５及び第１壁パネル４には、出入口部１５を開閉する扉ユニット２１が取り付けられていることが好ましい。扉ユニット２１は、例えば、１枚のスライド扉２２と、スライド扉２２の上部及び下部をスライド可能に支持する２つのスライド案内部２３と、スライド扉２２のスライドを規制する規制部材２４とを備えて構成されている。なお、扉ユニット２１は、２つの扉をスライドさせて出入口部１５を開閉するように構成してもよい。スライド案内部２３は、例えば、粘着剤や両面粘着テープ等によって固定されている。
【００２３】
窓部１６の形状、大きさ及び配置箇所は、特に限定されず、例えば、扉ユニット２１が設けられていない第２壁パネル５に設けられている。窓部１６の数は、特に限定されず、例えば、１つでも２つ以上でもよく、例えば、２つでもよい。この第２壁パネル５には、窓部１６を開閉する窓ユニット２５が取り付けられていることが好ましい。窓ユニット２５は、例えば、１つの戸２５ａと、この戸２５ａの左右をスライド可能に支持する２つのスライド案内部２５ｂとで構成されている。なお、窓ユニット２５は、２つの戸で窓部１６を開閉するように構成してもよい。スライド案内部２５ｂは、例えば、粘着剤や両面粘着テープ等によって固定されている。
【００２４】
また、壁ユニット２には連結棒４１が備えられていることが好ましい。連結棒４１は、衣服を掛けたり、洗濯物を干したりする棹部材として機能するが、連結状態の壁ユニット２の対向する２つの壁パネル３間に掛け渡されて、これら２つの壁パネル３の間隔を維持する、すなわち、補強部材としても機能するものである。連結棒４１は、特に限定されず、例えば、断面円形の棒状に形成されている。この連結棒４１が掛け渡される壁パネル３は、第１壁パネル４間であってもよいし、第２壁パネル５間であってもよい。さらに、第１壁パネル４及び第２壁パネル５の両方のパネルであってもよい。例えば、連結棒４１は、第２壁パネル５間に掛け渡されていることが望ましい。連結棒４１の個数は、特に限定されず、１本でも２本以上でもよく、例えば、２本である。
【００２５】
連結棒４１は、例えば、４枚の第２壁パネル５のうちの対向する２枚の第２壁パネル５の上方にそれぞれ１本ずつ合計２本設けられている。これら連結棒４１は、両端部がボルトやネジ等の取付具４３によってそれぞれ取り付けられている。すなわち、連結棒４１の両端部外周には、取付具４３と螺合するネジ部が設けられ、この連結棒４１を第２壁パネル５の上方の取付孔（図示せず）に通して第２壁パネル５の外面から突出する両端部に取付具４３を螺合させることにより、第２壁パネル５間に連結棒４１が掛け渡されるようになっている。このように、連結棒４１を取り付けることにより、連結状態の壁ユニット２の補強部材として機能すると共に、ハンガーを掛けたり、衣服や洗濯物等を吊り下げ支持する棹部材として機能する。
【００２６】
床パネル７と屋根パネル８とは、互いに嵌め合わされることのできる下部ケース体と上部ケース体とからなっており、内部に壁ユニット２等が収納できる構造となっていることが好ましい。すなわち、床パネル７と屋根パネル８とは、壁ユニット２等を収容するケース６である。
【００２７】
このケース６は、例えば、床パネル７が壁ユニット２等を収容するケース本体であると共に、屋根パネル８が蓋体である。床パネル７は、例えば、矩形状であって上面が凹状に窪んで形成されている。この床パネル７の周壁部７ａは、重ね合わせて積層させた複数の壁パネル３が収納させる大きさ、例えば、２２０ｃｍ×１１０ｃｍより若干大きな矩形状に形成されていることが好ましい。床パネル７の周壁部７ａの深さ（高さ）は、積層させた複数の壁パネル３の厚さより厚い寸法であって壁パネル３の他に連結部材９、連結棒４１、取付具４３、固定具３０、防水シート１１２（図１３参照。）等が収納可能な寸法で形成されていることが好ましい。床パネル７の厚さは、例えば、５〜６ｃｍで形成される。
【００２８】
屋根パネル８は、床パネル７に対する蓋体であり、例えば、矩形状であって下面が凹状に窪んで形成されている。この屋根パネル８の周壁部８ａは、床パネル７が収納される大きさ、例えば、床パネル７より若干大きな矩形状に形成されていることが好ましい。屋根パネル８には、例えば、矩形状の天窓部１８を設けてもよい。屋根パネル８には、天窓部１８を開閉する天窓ユニット２７が取り付けられていることが好ましい。
【００２９】
天窓ユニット２７は、例えば、２つの戸２７ａとこれらの戸２７ａの対向する一方の両端部をスライド可能に支持する２つのスライド案内部２７ｂとからなることが好ましい。スライド案内部２７ｂは、例えば、粘着剤や両面粘着テープ等によって固定されている。
【００３０】
床パネル７及び屋根パネル８は、壁パネル４、５と同様に強化ダンボール等で形成されていることが好ましい。強化ダンボールは、通常のダンボールに耐水・防水・強化・剛性等が付与されたものであれば特に限定されない。また、床パネル７及び屋根パネル８としては、ダンボール以外の例えば軽くて丈夫な合成樹脂、木製のもの等を用いてもよい。
【００３１】
床パネル７及び屋根パネル８と壁ユニット２とを固定する固定具３０としては、特に限定されないが、取り付け及び取り外しが容易な点からビスやネジ・ナット等であることが好ましい。固定具３０が例えばネジ・ナット等である場合には、床パネル７と壁ユニット２との対応する箇所にはそれぞれ取付孔（図示せず）を設け、これら取付孔を介してネジ・ナットで床パネル７に壁ユニット２を固定するようにすることが好ましい。また、屋根パネル８と壁ユニット２との対応する箇所にはそれぞれ取付孔（図示せず）を設け、これら取付孔を介してネジ・ナットで屋根パネル８に壁ユニット２を固定するようにすることが好ましい。また、屋根パネル８と壁ユニット２との間にスペーサ等を設けて、これら屋根パネル８と壁ユニット２とを固定することが好ましい。
【００３２】
また、本発明に係る第１の仮設ルーム１には、これが屋外に設置されることも考慮し、防水シート１１２が備えられていることが好ましい。防水シート１１２は、例えば、透明な軟質性の合成樹脂で形成されていることが好ましい。この防水シート１１２は、例えば、上部に屋根パネル８が固定された壁ユニット２を上方から被せて覆う略矩形箱状の下方が開放された形状に形成されていることが好ましい。この防水シート１１２の壁ユニット２の出入口部１５及び窓部１６に相当する箇所には、切り込みが形成されて、壁ユニット２への出入りや窓の開閉を行えるようになっていることが好ましい。なお、防水シート１１２は、同時に防寒シートとしても機能するものである。
【００３３】
また、壁ユニット２は、連結状態の壁ユニット２内に着脱可能に取り付けられる仕切りパネル１０を有することが好ましい。仕切りパネル１０は、連結状態の壁ユニット２内に取り付けられて、壁ユニット２内を複数に仕切るものである。例えば、仕切りパネル１０により壁ユニット２内を２つに仕切るものである。仕切りパネル１０は、例えば、対向する２枚の第２壁パネル５に両端部が取り付けられるものであり、壁ユニット２内を仕切るために例えば３枚の仕切りパネルからなる。出入口部１５を有する対向する２つの第２壁パネル５の他の第２パネル側の端部近傍の内面には、高さ方向に延びる凹状の取付部５５がそれぞれ設けられている。これら取付部５５に仕切りパネルの両端部を例えば上方から挿入することにより、壁ユニット２内が２つに仕切られるようになっている。また、２つの取付部５５は、スライド扉２２のスライドを規制する規制部材としての機能も奏するものである。
【００３４】
次に、本発明に係る第１の仮設ルーム１を組み立て設置する場合について説明する。この仮設ルーム１は、使用されていない状態では、ケース６（床パネル７及び屋根パネル８）内に壁パネル３（例えば２枚の第１壁パネル４と４枚の第２壁パネル５）が重ね合わされた（積層された）状態で収納されていると共に、連結部材９、連結棒４１、取付具４３、固定具３０、防水シート１１２等が収納されている。このように、ケース６内に６枚の壁パネル３が収納されているために、小型化を図れると共に矩形状であるので、取扱性がよいと共に保管し易く、かつ、持ち運びが容易である。また、ケース６及び壁パネル３が強化ダンボールで形成されていると、軽量化を図れ、一層取扱性に優れると共に持ち運びが一層容易となる。
【００３５】
この本発明に係る第１の仮設ルーム１を例えば避難場所の体育館やホールの設置箇所に運ぶ。箱本体である床パネル７から蓋体である屋根パネル８を取って（開けて）床パネル７内を開放する。床パネル７内に収納されている壁ユニット２等を全て床パネル７内から出す。この空になった床パネル７を所定の設置箇所に設置する。次に、壁ユニット２を組み立てる。すなわち、４個の第１連結部材９１と２個の第２連結部材９２とによって２枚の第１壁パネル４と４枚の第２壁パネル５とを略矩形状に連結して、連結状態の壁ユニット２を組み立てる。
【００３６】
この連結状態の壁ユニット２の下部を床パネル７内に嵌合させて、壁ユニット２を床パネル７上に載置する。載置後、この壁ユニット２の下部を床パネル７の周壁部７ａにネジ部材７ｂ等の固定具を用いて固定する。なお、第２壁パネル５の上方の取付孔に連結棒４１を通して第２壁パネル５の外面から突出する連結棒４１の両端部に取付具４３を螺合させておくことにより、第２壁パネル５間に連結棒４１を掛け渡しておく。この壁ユニット２の上部に屋根パネル８を被せ、壁ユニット２の上部と屋根パネル８の周壁部８ａとをネジ部材等の固定具３０を用いて固定する。なお、壁ユニット２の上部と屋根パネル８とを固定する際に、壁ユニット２の上部と屋根パネル８との間にスペーサを設けることにより、ぐらくつことなく安定して壁ユニット２の上部と屋根パネル８とを固定することができる。固定後、必要に応じて防寒シートでもある防水シート１１２を被せる。
【００３７】
これにより、本発明に係る仮設ルーム１は、大きなスペースを必要とすることなく、２２０ｃｍ（長さ）×１１０ｃｍ（幅）×２１０ｃｍ（高さ）より若干大きな寸法で組み立てられる、すなわち、組み立てスペースが小さくてすむと共に、所望の位置に簡単に直ぐに略矩形箱状に組み立てることができる。
【００３８】
したがって、本発明に係る第１の仮設ルーム１は、連結状態の壁ユニット２が複数の壁パネル４、５を矩形状に連結したものであるために倒れ難く、かつこの連結状態の壁ユニット２が床パネル７及び屋根パネル８に固定されているので、人が中に入って寝起きし得るのに十分な高さに壁ユニット２を形成できる。その結果、他人の視界を遮る空間を形成できるので、体育館やホール等の広いスペースでの共同避難生活で被災者のプライバシーを守ると共に、共同生活に伴うストレスを軽減することが可能となる。
【００３９】
また、本発明に係る第１の仮設ルーム１は、第１壁パネル４、第２壁パネル５、床パネル７及び屋根パネル８が強化ダンボールで形成されていることにより、その重量が軽く、搬入及び組み立てが容易でスピード設置できると共に、万一倒れた場合等においても怪我をすることが少なく安全性に優れ、かつ、安価である。また、屋根パネル８の上に物を置けるので、仮設ルーム１の上方の空間を有効に利用することができる。
【００４０】
また、本発明に係る第１の仮設ルーム１は、使用後、床パネル７、屋根パネル８、壁パネル３、連結部材９を互いに取り外し、連結棒４１、取付具４３、固定具３０、防水シート１１２等と共に床パネル７及び屋根パネル８内に収納することによって、容易に直ぐに仮設ルーム１の解体を行えると共に、保管ができ、繰り返し使用することができる。
【００４１】
また、本発明に係る第１の仮設ルーム１は、床パネル７、屋根パネル８、第１壁パネル４及び第２壁パネル５によって上下前後左右が強化ダンボールで覆われているので、完全に個室になると共に、冬の寒いときには暖がとれる。また、ブロックやコンパネを設けて、これらの上に本発明に係る仮設ルーム１を組み立て設置した後に、この外側に防水シート１１２を被せれば、防水シート１１２が防水機能と防寒機能とを発揮するので、本発明に係る仮設ルーム１を屋外に設置することができる。
【００４２】
また、本発明に係る第１の仮設ルーム１は、床パネル７、屋根パネル８、第１壁パネル４及び第２壁パネル５は強化ダンボールで形成されていることで、表面に印刷を行えるので、広告や宣伝を図れると共に、デザイン等の装飾化を施せる。
【００４３】
また、本発明に係る第１の仮設ルーム１は、床パネル７、屋根パネル８、第１壁パネル４及び第２壁パネル５を上下逆に設置することも可能である。また、本発明に係る第１の仮設ルーム１は、略矩形箱状に形成されているために、複数の仮設ルーム１を連結して設置することができると共に、出入口部１５の方向に応じて隣の仮設ルーム１とで仕切りを形成することができる。また、本発明に係る仮設ルーム１を複数設置する場合、組み合わせにより中庭等を形成することができる。例えば、本発明に係る４つの仮設ルーム１を図１７に示すように設置することにより、中庭８１を形成することができる。この中庭８１に簡易トイレ等を設置したり履物を置いたりすることができ、より一層プライバシーを守れると共にストレスを軽減することができる。
【００４４】
また、本発明に係る仮設ルーム１は、仕切りパネル１０により仮設ルーム１内を例えば２つに仕切ることで、仮設ルーム１内でもプライバシーの保護等を図れる。その結果、一層共同避難生活における被災者のプライバシーを守ると共に、共同生活に伴うストレスを軽減することが可能となる。
【００４５】
図８は本発明に係る第１の仮設ルームの他の例を示す図である。この仮設ルームは、図８に示すように、開き戸２８ａを用いて扉ユニット２８を構成したものである。例えば、第１壁パネル４の出入口部１５の開口面積が拡大されていると共にこの出入口部１５の下部が開口され、かつ、この出入口部１５の下部に対応する床パネル７の縁部が開口されていると共に床パネル７の縁部が傾斜面２８ｂとして形成されている。扉ユニット２８は、例えば蝶番（図示せず）を介して開閉可能に設けられた開き戸２８ａを備えて構成されている。このように構成すると、仮設ルーム１に入るための出入口部１５が大きく、出入りを容易に行えると共に、車椅子等の車輪を有するものの出入りが容易であり、汎用性が高い。
【００４６】
図９〜図１４は本発明に係る第２の仮設ルームの一例を示す図である。本発明に係る第２の仮設ルームは、図９〜図１４に示すように、複数の壁パネル１０３が互いに折り畳み可能に連続的に連結され、これら複数の壁パネル１０３を折り畳んで重ね合わせた折り畳み状態を形成すると共に、複数の壁パネル１０３を平面多角形状に展開した展開状態を形成する壁ユニット１０２と、この壁ユニット１０２に適宜設けられた出入口部１１５及び／又は窓部１１６、１１７と、所望の箇所に敷設されてこの上に展開状態の壁ユニット１０２が載置されて着脱可能に固定される床パネル１０７と、連結状態の壁ユニット１０２の上部に着脱可能に固定される屋根パネル１０８と、を備えたことことに特徴がある。
【００４７】
壁ユニット１０２は、複数の壁パネル１０３が互いに折り畳み可能であると共に平面多角形状例えば矩形状に展開可能に回動可能に連続的に連結されてなる。複数の壁パネル１０３は、例えば、矩形状の壁、すなわち、前面壁、後面壁、両側面壁を形成するものである。これら壁パネル１０３は、前面壁及び後面壁に相当する壁パネル（第１壁パネル１０４ということがある。）と、両側面壁に相当する壁パネル（第２壁パネル１０５ということがある。）とからなる。
【００４８】
第１壁パネル１０４は矩形平板状に形成されていることが好ましい。例えば、第１壁パネル１０４の大きさは、図１２に示すように、１枚で丁度ケース１０６内に収納し得る大きさで形成されていることが好ましい。第１壁パネル１０４は、具体的には、２１０ｃｍ×１１０ｃｍの矩形状で形成される。
【００４９】
第２壁パネル１０５は、複数のパネルからなることが好ましい。第２壁パネル１０５は、第１壁パネル１０４の幅の略半分の幅の矩形平板状に形成されている。この第２壁パネル１０５は、４枚で側面壁に相当する壁パネル１０３となるように構成されている。第２壁パネル１０５は、具体的には、２１０ｃｍ×５５ｃｍの矩形状で形成される。
【００５０】
これら第１壁パネル１０４及び第２壁パネル１０５は、強化ダンボール等で形成されていることが好ましい。強化ダンボールは、通常のダンボールに耐水・防水・強化・剛性等が付与されたものであれば特に限定されない。また、第１壁パネル１０４及び第２壁パネル１０５としては、ダンボール以外の例えば軽くて丈夫な合成樹脂、木製のもの等を用いてもよい。
【００５１】
第１壁パネル１０４や第２壁パネル１０５の両方又は一方の表面の上方には、プレート挿入部１７１を設けてもよい。このプレート挿入部１７１は、プレートをスライドさせて着脱可能に取り付けるものであり、例えば、番号が付されたプレート１７２を取り付けることがこのましい。これにより、自分の仮設ルーム１００がどれであるかすぐに判別することができる。すなわち、避難場所の体育館等の広いスペースに本発明に係る第２の仮設ルーム１００を多数設置すると自分の仮設ルーム１００がどれだかわからなくなるが、番号が付されたプレート１７２を取り付けることにより自分の仮設ルーム１００がどれであるかすぐに判別することができることになる。また、番号が付されたプレート１７２を取り付けることにより、誰がどこの仮設ルーム１００にいるかが一目でわかる。
【００５２】
これら１枚の第１壁パネル１０４と、４枚の第２壁パネル１０５と、１枚の第１壁パネル１０４と、４枚の第２壁パネル１０５とが、長辺部において連結部材１１１によって互い折り畳み可能に連続的に連結されて壁ユニット１０２が構成されている。これら１０枚の壁パネル１０４、１０５は、１箇所又は複数箇所で切れていてもよいし（図１５及び図１６参照。）、無端状にすなわち環状を呈するように連結されていてもよい（図１４参照。）。この壁ユニット１０２は、２枚の第１壁パネル１０４間に第２壁パネル１０５が互い違いに折り畳まれて重ねられた折り畳み状態（図１２及び図１４（ａ）参照。）を形成すると共に、第１壁パネル１０４及び第２壁パネル１０５を平面矩形状に展開した展開状態（図１４（ｃ）〜（ｇ）参照。）を形成するようになっている。この壁ユニット１０２は、例えば、展開状態において、２２０ｃｍ（長さ）×１１０ｃｍ（幅）×２１０ｃｍ（高さ）となるように形成されている。
【００５３】
連結部材１１１は、壁パネル１０４、１０５を折り畳み展開可能にするものであり、例えば、可撓性の粘着テープであってもよい。連結部材１１１として粘着テープを用いる場合には、壁パネル１０４、１０５の両面に粘着テープをそれぞれ張り合わせるようにすることがこのましい。また、このとき、粘着テープは、壁パネル１０４、１０５の長辺部の全体に設けもよいし、一部に設けるようにしてもよい。なお、連結部材１１１としては、粘着テープに限定されず、粘着テープ以外のもの例えば蝶番等を用いるようにしてもよい。
【００５４】
第２壁パネル１０５の上部には、展開状態において隣接する第２壁パネル１０５との直線状態を保持する固定部材１１３が設けられている。固定部材１１３は、例えば、コ字状に形成されている。この固定部材１１３が第２壁パネル１０５の上部にその上部（幅方向）に沿ってスライド可能に設けられており、折り畳み状態では、１枚の第２壁パネル１０５の上部に位置され、展開状態になったとき、スライドさせて２枚の第２壁パネル１０５の上部を掛け渡すようにスライドさせて屈曲せずに直線状態を保持するようになっている。固定部材１１３は、展開状態時に２枚の第２壁パネル１０５間の全部にそれぞれ設けられていることが好ましい。
【００５５】
第１壁パネル１０４及び第２壁パネル１０５には、出入口部１１５や窓部１１６、１１７が設けられている。出入口部１１５は、展開状態の壁ユニット１０２に出入りするものであり、その形状、大きさ及び配置箇所は特に限定されず、例えば、各側面壁に相当する４枚の第２壁パネル１０５のうちの１枚の第２壁パネル１０５に設けられている。この出入口部１１５を有する第２壁パネル１０５には、出入口部１１５を開閉する扉ユニット１２１が着脱可能に取り付けられることが好ましい。
【００５６】
扉ユニット１２１は、例えば、一対の左右の２つの扉１２２と、これら扉１２２の上部及び下部をスライド可能に支持する２つのスライド案内部１２３とで構成されている。なお、扉ユニット１２１は、１つの扉を片側にスライドさせて出入口部１１５を開閉するように構成してもよい。扉ユニット１２１のスライド案内部１２３が出入口部１１５の上方及び下方にそれぞれ固定具１３０によって取り付けられて、出入口部１１５が一対の扉１２２で開閉されるようになっている。固定具１３０としては、特に限定されないが、後述するケース１０６と壁ユニット１０２とを固定する固定具１３０と同じものであることが好ましい。すなわち、この固定具１３０は、取り付け及び取り外しが容易な点からビスやネジ・ナット等であることが好ましい。固定具１３０が例えばネジ・ナット等である場合には、スライド案内部１２３と第２壁パネル１０５との対応する箇所にはそれぞれ取付孔を設け、これら取付孔を介してネジ・ナットでスライド案内部を第２壁パネル１０５に固定するようにすることが好ましい。なお、スライド案内部１２３は、それ自身を粘着剤によって貼着したり、又は両面粘着テープを用いて固定するようにしてもよい。
【００５７】
窓部１１６、１１７の形状、大きさ及び配置箇所は、特に限定されず、例えば、２つの第１壁パネル１０４と各側面壁に相当する４枚の第２壁パネル１０５のうちの１枚の第２壁パネル１０５とに設けられている。これら窓部１１６、１１７は、同じ大きさ及び形状でもよいし、それぞれ異なる大きさ及び形状でもよい。窓部１１６、１１７を有する第１壁パネル１０４及び第２壁パネル１０５には、窓部１１６、１１７を開閉する窓ユニット１２５、１２６が着脱可能に取り付けられることが好ましい。
【００５８】
窓ユニット１２５、１２６は、例えば、一対の左右の２つの戸１２５ａ、１２６ａと、これら戸１２５ａ、１２６ａの上部及び下部をスライド可能に支持する２つのスライド案内部１２５ｂ、１２６ｂとで構成されている。なお、窓ユニット１２５、１２６は、１つの戸を片側にスライドさせて窓部１１６、１１７を開閉するように構成してもよい。窓ユニット１２５、１２６のスライド案内部１２５ｂ、１２６ｂが窓部１１６、１１７の上方及び下方にそれぞれ固定具１３０によって取り付けられて、窓部１１６、１１７が一対の戸１２５ａ、１２６ａで開閉されるようになっている。固定具１３０としては、特に限定されないが、前述の固定具１３０と同じものであることが好ましい。すなわち、この固定具１３０は、取り付け及び取り外しが容易な点からビスやネジ・ナット等であることが好ましい。固定具が例えばネジ・ナット等である場合には、スライド案内部１２５ｂ、１２６ｂと第１壁パネル１０４及び第２壁パネル１０５との対応する箇所にはそれぞれ取付孔を設け、これら取付孔を介してネジ・ナットでスライド案内部１２５ｂ、１２６ｂを第１壁パネル１０４及び第２壁パネル１０５に固定するようにすることが好ましい。なお、スライド案内部１２５ｂ、１２６ｂは、それ自身を粘着剤によって貼着したり、又は両面粘着テープを用いて固定するようにしてもよい。
【００５９】
また、壁ユニット１０２には連結棒１４１が備えられていることが好ましい。連結棒１４１は、衣服を掛けたり、洗濯物を干したりする棹部材として機能するが、展開状態の壁ユニット１０２の対向する２つの壁パネル１０３間に掛け渡されて、これら２つの壁パネル１０３の間隔を維持する、すなわち、補強部材としても機能するものである。連結棒１４１は、特に限定されず、例えば、断面円形の棒状に形成されている。この連結棒１４１が掛け渡される壁パネル１０３は、第１壁パネル１０４間であってもよいし、第２壁パネル１０５間であってもよい。さらに、第１壁パネル１０４及び第２壁パネル１０５の両方のパネルであってもよい。例えば、連結棒１４１は、第２壁パネル１０５間に掛け渡されていることが望ましい。連結棒１４１の個数は、特に限定されず、１本でも２本以上でもよい。
【００６０】
連結棒１４１は、例えば、出入口部１１５及び窓部１１６、１１７が設けられていない第２壁パネル１０５の上方に両端部がボルトやネジ等の取付具１４３によって取り付けられている。すなわち、連結棒１４１の両端面には、取付具１４３と螺合するネジ部を有する取付孔を設けると共に、第２壁パネル１０５の上方に取付孔を設け、これら第２壁パネル１０５の取付孔を介して取付具１４３を連結棒１４１の取付孔に螺合させて取り付けることにより、第２壁パネル１０５間に連結棒１４１が掛け渡されるようになっている。このように、連結棒１４１を取り付けることにより、展開状態の壁ユニット１０２の補強部材として機能すると共に、ハンガーを掛けたり、衣服や洗濯物等を吊り下げ支持する棹部材として機能する。
【００６１】
床パネル１０７と屋根パネル１０８とは、互いに嵌め合わされることのできる下部ケース体と上部ケース体とからなっており、内部に壁ユニット１０２等が収納できる構造となっていることが好ましい。すなわち、床パネル１０７と屋根パネル１０８とは、壁ユニット１０２等を収容するケース１０６である。
【００６２】
このケース１０６は、例えば、床パネル１０７が壁ユニット１０２等を収容するケース本体であると共に、屋根パネル１０８が蓋体である。床パネル１０７は、例えば、矩形状であって上面が凹状に窪んで形成されている。この床パネル１０７の周壁部１０７ａは、折り畳み状態の略矩形状の壁ユニット１０２が収納される大きさ、例えば、２２０ｃｍ×１１０ｃｍより若干大きな矩形状に形成されていることが好ましい。床パネル１０７の周壁部１０７ａの深さ（高さ）は、折り畳み状態の壁ユニット１０２の厚さより厚い寸法であって折り畳み状態の壁ユニット１０２の他にこの折り畳み状態の壁ユニット１０２を固定する固定具１３０、扉ユニット１２１、窓ユニット１２５、１２６、天窓ユニット１２７等が収納可能な寸法で形成されていることが好ましい。この床パネル１０７が例えば床パネルとして用いられる。床パネル１０７の厚さは、例えば、５〜６ｃｍで形成される。
【００６３】
屋根パネル１０８は、床パネル１０７に対する蓋体であり、例えば、矩形状であって下面が凹状に窪んで形成されている。この屋根パネル１０８の周壁部１０８ａは、床パネル１０７が収納される大きさ、例えば、床パネル１０７より若干大きな矩形状に形成されていることが好ましい。屋根パネル１０８には、例えば、矩形状の天窓部１１８を設けてもよい。屋根パネル１０８には、天窓部１１８を開閉する天窓ユニット１２７が着脱可能に取り付けられることが好ましい。これら床パネル１０７及び屋根パネル１０８は、壁パネル１０４、１０５と同様に強化ダンボール等で形成されていることが好ましい。強化ダンボールは、通常のダンボールに耐水・防水・強化・剛性等が付与されたものであれば特に限定されない。また、床パネル１０７及び屋根パネル１０８としては、ダンボール以外の例えば軽くて丈夫な合成樹脂、木製のもの等を用いてもよい。
【００６４】
天窓ユニット１２７は、例えば、戸１２７ａとこの戸１２７ａの対向する一方の両端部をスライド可能に支持する２つのスライド案内部１２７ｂとからなることが好ましい。この天窓ユニット１２７のスライド案内部１２７ｂが屋根パネル１０８にそれぞれ固定具１３０によって取り付けられて、天窓部１１８が戸１２７ａで開閉されるようになっている。固定具１３０としては、特に限定されないが、前述の固定具と同じものであることが好ましい。すなわち、この固定具１３０は、取り付け及び取り外しが容易な点からビスやネジ・ナット等であることが好ましい。固定具１３０が例えばネジ・ナット等である場合には、スライド案内部１２７ｂと屋根パネル１０８との対応する箇所にはそれぞれ取付孔を設け、これら取付孔を介してネジ・ナットでスライド案内部１２７ｂを屋根パネル１０８に固定するようにすることが好ましい。なお、スライド案内部１２７ｂは、それ自身を粘着剤によって貼着したり、又は両面粘着テープを用いて固定するようにしてもよい。
【００６５】
床パネル１０７及び屋根パネル１０８と壁ユニット１０２とを固定する固定具１３０としては、特に限定されないが、取り付け及び取り外しが容易な点からビスやネジ・ナット等であることが好ましい。固定具１３０が例えばネジ・ナット等である場合には、床パネル１０７と壁ユニット１０２との対応する箇所である周壁部１０７ａにはそれぞれ取付孔１０７ｂと１０８ｂを設け、これら取付孔１０７ｂを介してネジ・ナットで床パネル１０７に壁ユニット１０２を固定するようにすることが好ましい。また、屋根パネル１０８と壁ユニット１０２との対応する箇所である周壁部１０８ａにはそれぞれ取付孔１０８ｂを設け、これら取付孔１０８ｂを介してネジ・ナットで屋根パネル１０８に壁ユニット１０２を固定するようにすることが好ましい。
【００６６】
また、本発明に係る第２の仮設ルーム１００には、これが屋外に設置されることも考慮し、防水シート１１２が備えられていることが好ましい。防水シート１１２は、例えば、透明な軟質性の合成樹脂で形成されていることが好ましい。この防水シート１１２は、例えば、上部に屋根パネル１０８が固定された壁ユニット１０２を上方から被せて覆う略矩形箱状の下方が開放された形状に形成されていることが好ましい。この防水シート１１２の壁ユニット１０２の出入口部１１５及び窓部１１６、１１７に相当する箇所には、切り込みが形成されて、壁ユニット１０２への出入りや窓の開閉を行えるようになっていることが好ましい。なお、防水シート１１２は、同時に防寒シートとしても機能するものである。
【００６７】
また、壁ユニット１０２は、前述と同様に展開状態の壁ユニット１０２内に着脱可能に取り付けられる仕切りパネル（図示せず）を有することが好ましい。仕切りパネルは、展開状態の壁ユニット１０２内に取り付けられて、壁ユニット１０２内を複数に仕切るものである。例えば、仕切りパネルにより壁ユニット１０２内を２つに仕切るものである。仕切りパネルは、例えば、対向する２枚の第２壁パネル１０５に両端部が取り付けられるものであり、壁ユニット１０２内を仕切るために例えば３枚の仕切りパネルからなる。
【００６８】
次に、本発明に係る第２の仮設ルーム１００を組み立て設置する場合について説明する。この仮設ルームは、使用されていない状態では、ケース１０６（床パネル１０７及び屋根パネル１０８）内に折り畳み状態で壁ユニット１０２が収納されていると共に、固定具１３０や扉ユニット１２１や窓ユニット１２５、１２６等が収納され、かつ、防水シート１１２が収納されている。このように、ケース１０６内に折り畳み状態で壁ユニット１０２等が収納されているために、小型化を図れると共に矩形状であるので、取扱性がよいと共に保管し易く、かつ、持ち運びが容易である。また、ケース１０６及び壁パネル１０３が強化ダンボールで形成されていると、軽量化を図れ、一層取扱性に優れると共に持ち運びが一層容易となる。
【００６９】
この本発明に係る第２の仮設ルーム１００を例えば避難場所の体育館の設置箇所に運ぶ。箱本体である床パネル１０７から蓋体である屋根パネル１０８を取って（開けて）床パネル１０７内を開放する（図１２参照。）。床パネル１０７内に収納されている壁ユニット１０２等を全て床パネル１０７内から出す。この空になった床パネル１０７を所望の設置箇所に設置する。
【００７０】
次に、壁ユニット１０２を立てて（図１４（ａ）参照。）、第１壁パネル１０４を互いに離間する方向に壁ユニット１０２を広げる（図１４（ｂ）参照。）。これにより、第１壁パネル１０４間に互い違いに折り畳まれていた４枚ずつの計１２枚の第２壁パネル１０５が長辺部において互い違いに回転して、最後には各４枚の第２壁パネル１０５が略直線状に並列される（図１４（ｃ）参照。）。この状態が展開状態である。
【００７１】
この展開状態の壁ユニット１０２の上部の固定部材１１３を２枚の第２壁パネル１０５の上部を掛け渡すようにスライドさせて直線状になった４枚の第２壁パネル１０５が屈曲しないようにする（図１４（ｄ）参照。）。なお、この壁ユニット１０２の展開作業は、床パネル１０７上で行ってもよいし、床パネル１０７外に行った後に床パネル１０７上に移動して壁ユニット１０２の下部を床パネル１０７内に嵌合させるようにしてもよい（図１４（ｅ）参照。）。
【００７２】
壁ユニット１０２の下部を床パネル１０７の周壁部１０７ａにネジ部材等の固定具１３０を用いて固定する。すなわち、床パネル１０７が床パネルである基台でこの高さは５〜６ｃｍである。なお、第２壁パネル１０５の上方の取付孔に連結棒１４１を通して第２壁パネル１０５の外面から突出する連結棒１４１の両端部に取付具１４３を螺合させておくことにより、第２壁パネル１０５間に連結棒１４１を掛け渡しておく。この、壁ユニット１０２の上部に屋根パネル１０８を被せる（図１４（ｆ）及び（ｇ）参照。）。このとき、壁ユニット１０２の上部には固定部材１１３が設けられているので、この固定部材１１３が屋根パネル１０８と壁ユニット１０２との間のクリアランスを埋める材料となる。壁ユニット１０２の上部に屋根パネル１０８の周壁部１０８ａを固定具１３０を用いて固定する。固定後、この壁ユニット１０２の出入口部１１５、窓部１１６、１１７、天窓部１１８にそれぞれ扉ユニット１２１、窓ユニット１２５、１２６及び天窓ユニット１２７を固定具１３０によって取り付ける。そして、必要に応じて防寒シートでもある防水シート１１２を壁ユニット１０２に被せる（図１３参照。）。
【００７３】
これにより、本発明に係る第２の仮設ルーム１００は、大きなスペースを必要とすることなく、２２０ｃｍ（長さ）×１１０ｃｍ（幅）×２１０ｃｍ（高さ）より若干大きな寸法で組み立てられる、すなわち、組み立てスペースが小さくてすむと共に、所定の位置に簡単に直ぐに略矩形箱状に組み立てることができる。なお、扉ユニット１２１、窓ユニット１２５、１２６及び天窓ユニット１２７は、それぞれの固定具１３０を含めて予め壁ユニット１０２や屋根パネル１０８に取り付けられている場合もあるので、この場合には、扉ユニット１２１、窓ユニット１２５、１２６及び天窓ユニット１２７の取付作業が不要になる。
【００７４】
したがって、本発明に係る第２の仮設ルーム１００は、展開状態の壁ユニット１０２が連続的に連結された複数の壁パネル１０３を矩形状に展開したものであるために倒れ難く、かつこの展開状態の壁ユニット１０２がケース１０６に固定されているので、人が中に入って寝起きし得るのに十分な高さに壁ユニット１０２を形成できる。その結果、他人の視界を遮る空間を形成できるので、体育館やホール等の広いスペースでの共同避難生活で被災者のプライバシーを守ると共に、共同生活に伴うストレスを軽減することが可能となる。
【００７５】
また、本発明に係る第２の仮設ルーム１００は、第１壁パネル１０４、第２壁パネル５、床パネル１０７及び屋根パネル１０８が強化ダンボールで形成されていることにより、その重量が軽く、搬入及び組み立てが容易でスピード設置できると共に、万一倒れた場合等においても怪我をすることが少なく安全性に優れ、かつ、安価である。また、屋根パネル１０８の上に物を置けるので、仮設ルーム１００の上方の空間を有効に利用することができる。
【００７６】
また、本発明に係る第２の仮設ルーム１００は、第１壁パネル１０４、第２壁パネル１０５、床パネル１０７及び屋根パネル１０８が強化ダンボールで形成されていると共に、連結部材１１１が可撓性の粘着テープであると、修理が誰でも容易に行える。また、本発明に係る第２の仮設ルーム１００は、使用後、扉ユニット１２１と床パネル１０７、屋根パネル１０８との固定を解除してから、扉ユニット１２１を折り畳んで、この折り畳んだ扉ユニット１２１を扉ユニット１２１、窓ユニット１２５、１２６及び天窓ユニット１２７や固定具や防水シート１１２と共に床パネル１０７及び屋根パネル１０８内に収納する。よって、本発明に係る仮設ルーム１は、容易に直ぐに仮設ルーム１００の解体を行えると共に、保管ができ、繰り返し使用することができる。
【００７７】
また、本発明に係る第２の仮設ルーム１００は、床パネル１０７、屋根パネル１０８、第１壁パネル１０４及び第２壁パネル１０５によって上下前後左右が強化ダンボールで覆われているので、完全に個室になると共に、冬の寒いときには暖がとれる。また、ブロックやコンパネを設けて、これらの上に本発明に係る第２の仮設ルーム１００を組み立て設置した後に、この外側に防水シート１１２を被せれば、防水シート１１２が防水機能と防寒機能とを発揮するので、本発明に係る第２の仮設ルーム１００を屋外に設置することができる。
【００７８】
また、本発明に係る第２の仮設ルーム１００は、床パネル１０７、屋根パネル１０８、第１壁パネル１０４及び第２壁パネル１０５は強化ダンボールで形成されていることで、表面に印刷を行えるので、広告や宣伝を図れると共に、デザイン等の装飾化を施せる。
【００７９】
また、本発明に係る第２の仮設ルーム１００は、床パネル１０７、屋根パネル１０８、第１壁パネル１０４及び第２壁パネル１０５を上下逆に設置することも可能である。また、本発明に係る第２の仮設ルーム１００は、略矩形箱状に形成されているために、複数の仮設ルーム１００を連結して設置することができると共に、出入口部１１５の方向に応じて隣の仮設ルーム１００とで仕切りを形成することができる。また、本発明に係る第２の仮設ルーム１００を複数設置する場合、組み合わせにより中庭等を形成することができる。例えば、本発明に係る４つの第２の仮設ルーム１００を図１７に示すように設置することにより、中庭８１を形成することができる。この中庭８１に簡易トイレ等を設置したり履物を置いたりすることができ、より一層プライバシーを守れると共にストレスを軽減することができる。
【００８０】
なお、本実施の形態では側壁に相当する第２壁パネル１０５を４枚連結したが第１壁パネル１０４間に互い違いに折り畳まれるならばその枚数は特に限定されるものではない。また、側壁に相当する第２壁パネル１０５を複数枚連結したが、側壁に相当する第２壁パネルを１枚の矩形平板状の第２壁パネルで形成し、前面壁及び後面壁に相当する第１壁パネルを第２壁パネル間に互い違いに折り畳まれるように複数枚で形成するようにしてもよい。
【００８１】
また、第１壁パネル１０４及び第２壁パネル１０５に設ける出入口部１１５及び窓部１１６、１１７の形状、大きさ及び配置箇所は、前述の例に限定されずどのようにしてもよく、組み合わせは自由に選定することができる。例えば、図１５に示すように、２枚の第１壁パネル１０４にそれぞれ出入口部１５１を設けると共に、８枚の第２壁パネル１０５にそれぞれ窓部１５２を設けるようにしてもよい。また、図１６に示すように、２枚の第１壁パネル１０４にそれぞれ出入口部１６１を設けると共に、連結した４枚の第２壁パネル１０５の中央の２枚の第２壁パネル１０５で出入口部１６１を設け、かつ、残った４枚の第２壁パネル１０５にそれぞれ窓部１６２を設けるようにしてもよい。このように構成すれば、４方向に出入口部１６１を設けることが可能となる。
【産業上の利用可能性】
【００８２】
以上説明したように本発明に係る仮設ルームは、運搬、組立、保管が容易であり、連結状態又は展開状態において複数の壁パネルを平面多角形状に連結又は展開したものであるために倒れ難く、かつ床パネルと屋根パネルに壁ユニットが固定されるために、人が中に入って寝起きし得るのに十分な高さに壁ユニットを形成できるので、他人の視界を遮る空間を形成でき、体育館やホール等の広いスペースでの共同避難生活で被災者のプライバシーを守ると共に、共同生活に伴うストレスを軽減することができることから、特に共同避難生活においては個人や家族のプライバシーを守る観点から最適なものである。
【符号の説明】
【００８３】
１  仮設ルーム
２  壁ユニット
３  壁パネル
４  第１壁パネル
５  第２壁パネル
６  ケース
７、１０７  床パネル
７ａ、１０７ａ  周壁部
８、１０８  屋根パネル
８ａ、１０８ａ  周壁部
９  連結部材
１１２  防水シート
４１  連結棒
【図１】
0005388160.tif 000002
【図２】
0005388160.tif 000003
【図３】
0005388160.tif 000004
【図４】
0005388160.tif 000005
【図５】
0005388160.tif 000006
【図６】
0005388160.tif 000007
【図７】
0005388160.tif 000008
【図８】
0005388160.tif 000009
【図９】
0005388160.tif 000010
【図１０】
0005388160.tif 000011
【図１１】
0005388160.tif 000012
【図１２】
0005388160.tif 000013
【図１３】
0005388160.tif 000014
【図１４ａ】
0005388160.tif 000015
【図１４ｂ】
0005388160.tif 000016
【図１５】
0005388160.tif 000017
【図１６】
0005388160.tif 000018
【図１７】
0005388160.tif 000019